(57)【要約】【課題】ベースプレートをブーツ固定の際の反力受けとすることでブーツを固定するビンディングにおいて、ブーツの靴底とベースプレートとの間に生じるスノーケーキの発生を効果的に抑制する事のできるスノーボード用ビンディングを提供する。【解決手段】ベースプレート１２をブーツ固定の際の反力受けとすることでブーツを固定するスノーボード用のビンディング１０であって、ブーツの靴底との当接面に、前記靴底よりも硬質な硬質平滑部材２２ｃ，２４ｃを適用し、硬質平滑部材２２ｃ，２４ｃの表面粗さを前記靴底よりも小さくしたことを特徴とする。また、硬質平滑部材２２ｃ，２４ｃは、緩衝部材２４ｂの表面に貼付されているようにすると良い。【選択図】図１
2018175247.tif 000002
【特許請求の範囲】
【請求項１】
ベースプレートをブーツ固定の際の反力受けとすることでブーツを固定するスノーボード用ビンディングの前記ベースプレートに配置されて前記ブーツの靴底との当接面を構成するブーツ当接部材であって、
前記靴底との当接面に、前記靴底よりも硬質な部材を適用し、
前記硬質な部材の表面粗さを前記靴底よりも小さくしたことを特徴とするブーツ当接部材。
【請求項２】
緩衝部材の表面に前記硬質な部材を貼付して構成することを特徴とする請求項１に記載のブーツ当接部材。
【請求項３】
ベースプレートをブーツ固定の際の反力受けとすることでブーツを固定するスノーボード用ビンディングであって、
前記ブーツの靴底と当接する当接部材から、滑り止めを目的とした凹凸を排除したことを特徴とするスノーボードビンディング。
【請求項４】
少なくとも、前記当接部材における前記靴底との対向面に、前記靴底よりも硬質な部材を適用したことを特徴とする請求項３に記載のスノーボードビンディング。
【請求項５】
ベースプレートをブーツ固定の際の反力受けとすることでブーツを固定するスノーボード用ビンディングであって、
前記ブーツの靴底との当接面に、前記靴底よりも硬質な部材を適用し、
前記硬質な部材の表面粗さを前記靴底よりも小さくしたことを特徴とするスノーボードビンディング。
【請求項６】
前記硬質な部材は、緩衝部材の表面に貼付されていることを特徴とする請求項３乃至５のいずれか１項に記載のスノーボードビンディング。
【発明の詳細な説明】
【技術分野】
【０００１】
本発明は、スノーボードに対してブーツを固定するビンディングに係り、特に、ブーツの固定をストラップにより行うタイプのように、ブーツの特定部位をベースプレート側へ押し付けると共に、ベースプレートをブーツ固定の際の反力受けとすることでブーツを固定するスノーボード用ビンディングに関する。
【背景技術】
【０００２】
スノーボード用のビンディングでは、滑走前後において少なくとも一方の足の固定を解除するという特性から、ブーツの靴底とブーツをボードに固定するビンディングの対向面との間に雪が付着して、スノーケーキと呼ばれる塊が構成される事が多い。このため、ブーツの靴底とビンディングとの間にスノーケーキが生ずると、ブーツの固定が妨げられ、ビンディングの適正な性能を発揮する事ができなくなるため、様々な試みが成されて来た。
【０００３】
スノーボード用のビンディングには、大別してステップイン型と、ストラップ固定型がある。ステップイン型のものでは、特許文献１に開示されているようなスノーケーキ対策が採られている。具体的には、ブーツの靴底の連結部を構成する部分に、雪詰まりを防止するための防止板を設けるというものである。
【０００４】
一方、ストラップ固定型のビンディングのように、ブーツの足首や爪先、その他の特定部位を締付けやフックといった手段でベースプレート側へ押し付けると共に、ベースプレートをブーツ固定の際の反力受けとすることでブーツを固定するタイプのビンディングでは、画期的な対策を採る事が難しいと考えられて来た。
【０００５】
その要因の１つとして、例えばベースプレートに載せられたブーツの足首部分と爪先部分をストラップで押え、バックルで締め付けるといったストラップ固定型のビンディングでは、ブーツの横ズレを防止するために、ベースプレートとブーツの靴底との間に、クッション性を備えた滑り止めを設ける必要があると考えられていることにある。ここで、ベースプレートとブーツの靴底との間に設ける滑り止めとしては、クッション表面の少なくとも一部に凹凸を設けるというものが一般的であった。ところが、この滑り止めのための細かな凹凸は、雪の付着性を向上させる要素ともなり得、雪のクッション面に付着した雪の排除性に優れた滑り止め形状（凹凸形状）が研究されて来た。
【０００６】
そうした背景の中、図４に示すような構造のビンディング１が提案された。特徴的な構造として、滑り止めのための凹凸２を全て、ブーツ固定面の長手方向に沿って形成している。このような構成とする事で、凹凸２の延設方向と雪の排出方向が一致する事より、雪の排除効果を向上させられると考えられたからである。
【先行技術文献】
【特許文献】
【０００７】
【特許文献１】特許第２７７０００８号公報
【発明の概要】
【発明が解決しようとする課題】
【０００８】
ところが、上記図４に示すような滑り止め形状は、雪の排除効果も高いと考えられるが、一方で、雪の侵入性も向上してしまい、結果として望ましい効果を得る事はできなかった。
【０００９】
そこで本発明では、ベースプレートをブーツ固定の際の反力受けとすることでブーツを固定するビンディングにおいて、ブーツの靴底とベースプレートとの間に生じるスノーケーキの発生を効果的に抑制する事のできるブーツ当接部材、及びスノーボード用ビンディングを提供する事を目的とする。
【課題を解決するための手段】
【００１０】
上記目的を達成するための本発明に係るブーツ当接部材は、ベースプレートをブーツ固定の際の反力受けとすることでブーツを固定するスノーボード用ビンディングの前記ベースプレートに配置されて前記ブーツの靴底との当接面を構成するブーツ当接部材であって、前記靴底との当接面に、前記靴底よりも硬質な部材を適用し、前記硬質な部材の表面粗さを前記靴底よりも小さくしたことを特徴とする。
【００１１】
また、上記のような特徴を有するブーツ当接部材は、緩衝部材の表面に前記硬質な部材を貼付して構成するようにすると良い。このような特徴を有する事により、スノーボードから脚部に伝達される衝撃や振動を緩和する事ができるようになる。
【００１２】
また、上記目的を達成するための本発明に係るスノーボード用ビンディングは、ベースプレートをブーツ固定の際の反力受けとすることでブーツを固定するスノーボード用ビンディングであって、前記ブーツの靴底と当接する当接部材から、滑り止めを目的とした凹凸を排除したことを特徴とする。
【００１３】
また、上記のような特徴を有するスノーボード用ビンディングでは、少なくとも、前記当接部材における前記靴底との対向面に、前記靴底よりも硬質な部材を適用すると良い。このような特徴を有する事により、当接面に対する雪の付着防止効果を高める事ができる。
【００１４】
また、上記目的を達成するための本発明に係るスノーボード用ビンディングは、ベースプレートをブーツ固定の際の反力受けとすることでブーツを固定するスノーボード用ビンディングであって、前記ブーツの靴底との当接面に、前記靴底よりも硬質な部材を適用し、前記硬質な部材の表面粗さを前記靴底よりも小さくしたことを特徴とするものであっても良い。
【００１５】
さらに、上記のような特徴を有するスノーボード用ビンディングにおける前記硬質な部材は、緩衝部材の表面に貼付されているようにすると良い。このような特徴を有する事により、スノーボードから脚部に伝達される衝撃や振動を緩和する事ができるようになる。
【発明の効果】
【００１６】
上記のような特徴を有するブーツ当接部材、及びスノーボード用ビンディングによれば、ブーツの靴底とベースプレートとの間に生じるスノーケーキの発生を効果的に抑制する事ができる。
【図面の簡単な説明】
【００１７】
【図１】実施形態に係るビンディングの構成を示す斜視図である。
【図２】ビンディングをベースプレートとブーツ当接部材とに分解した状態を示す斜視図である。
【図３】１ピース構造のブーツ当接部材の一例を示す斜視図である。
【図４】従来のブーツ当接部材を備えたビンディングの構成を示す斜視図である。
【発明を実施するための形態】
【００１８】
以下、本発明のスノーボード用ビンディングに係る実施の形態について、図面を参照して詳細に説明する。図面において、図１は、実施形態に係るビンディングの構成を示す斜視図である。また、図２は、ビンディングをベースプレートとブーツ当接部材とに分解した状態を示す斜視図である。以下の実施形態に示すスノーボード用ビンディング（以下、単にビンディング１０と称す）は、ベースプレート１２をブーツ固定の際の反力受けとすることでブーツを固定するビンディング１０の一例であり、ストラップ固定型のビンディングの例である。
【００１９】
本実施形態に係るビンディング１０は、ベースプレート１２と、ブーツ当接部材２０とより構成されている。ベースプレート１２は、ベースプレート本体１４と、ヒールカップ１６、ハイバック１８、および図示しないアンクルストラップとトゥーストラップが付帯されている。ベースプレート本体１４は、図示しないスノーボードに固定されるベース１４ａと、サイドガイド１４ｂを有する。ベース１４ａには、図示しないセンターディスクにより、スノーボードに対する取り付けを行うための開口部１４ｃが設けられている。開口部１４ｃの周囲には、ベースプレート１２の取り付け角度を定めるためのアジャスタ１４ｄが設けられている。サイドガイド１４ｂは、図示しないブーツの位置決めと共に、図示しないアンクルストラップとトゥーストラップを取り付けるための要素である。ベース１４ａの両側に配置されたサイドガイド１４ｂに、それぞれ締め付け用のバックルを備えたアンクルストラップとトゥーストラップを架け渡す事で、ブーツの足首部分と爪先部分の締め付けが可能となる。
【００２０】
ヒールカップ１６は、サイドガイド１４ｂの後端側に設けられ、ブーツのかかとの位置決めを成す要素である。図１、図２に示す形態では、ヒールカップ１６をサイドガイド１４ｂに一体化させた１ピース構造としているが、サイドガイド１４ｂとヒールカップ１６が別体として構成するセパレート構造としても良い。ヒールカップ１６の形態としては、ブーツのかかと部分のアウトラインを包む形状とすると良い。
【００２１】
ハイバック１８は、ブーツの足首部分からふくらはぎにかけての部位を支える要素である。ヒールカップ１６の内側に、ヒールカップ１６の立ち上がり部分を基点として回動可能に配置されている。ハイバック１８の背面がヒールカップ１６と接触する事で、それ以上背面側へ傾倒する事が防止される構造とされている。このため、ふくらはぎ側にかけた荷重がベースプレート１２を介してスノーボードのエッジに伝達されることとなる。
【００２２】
ブーツ当接部材２０は、ブーツとスノーボードとの間の緩衝材としての役割を担う。本実施形態のブーツ当接部材２０は、フットベッドクッション２２と、ヒールクッション２４といった２ピースの分割構造とされている。なお、ブーツ当接部材２０は、フットベッドクッション２２と、ヒールクッション２４を一体型とした１ピース構造とする事もできるが、機能性を考慮して分割構造とされている。ブーツ当接部材２０は、フットベッドクッション２２とヒールクッション２４を合わせた平面形状が、概ねブーツの靴底の平面形状に倣った形状となるように構成されていれば良い。
【００２３】
フットベッドクッション２２は、ブーツの靴底の爪先部分から踵の手前の部分（以下、爪先部分以外のフットベッドクッション２２の部位を中央部分と称す）までに当接する要素である。本実施形態のフットベットクッション２２は、サブベース２２ａと、緩衝部材２２ｂ、及び硬質平滑部材２２ｃとより構成されている。サブベース２２ａは、フットベッドクッション２２をベースプレート１２に組み付けるためのフレームである。本実施形態のサブベース２２ａは、塩化ビニルやポリエチレン等の可撓性を有する樹脂により構成すると良い。また、ベースプレート１２とサブベース２２ａの組付け部位には、図示しないアジャスタが設けられており、ブーツのサイズに応じて組付け位置が調整可能とされている。
【００２４】
緩衝部材２２ｂは、例えばＥＶＡ（Ethylene-Vinyl Acetate：エチレン酢酸ビニル共重合樹脂）やポリウレタンなどの緩衝性、及び可撓性を有する樹脂であれば良く、サブベース２２ａにおけるブーツの靴底との対向面側に貼付される。
【００２５】
硬質平滑部材２２ｃは、緩衝部材２２ｂの表面、すなわちブーツの靴底との対向面側に貼付される部材である。硬質平滑部材２２ｃは、ブーツ当接部材２０に対する雪の付着を防止する効果を担う部材であり、望ましくはフットベッドクッション２２の全表面を覆う構成とする事が良いが、少なくともフットベッドクッション２２の表面積の半分以上を覆う構成とし、デザイン性と効果の相関を検討し、フットベッドクッション２２（ブーツ当接部材２０）の表面に雪が付着することを防止するという効果を発揮できる程度の面積とすると良い。
【００２６】
硬質平滑部材２２ｃの具体的な材質として、ＰＣ（Polycarbonate：ポリカーボネート）やＰＡ（Polyamide：ポリアミド）など耐衝撃性や耐候性に優れたエンジニアリングプラスチックにより構成することが望ましい。しかしながら、吸湿性の無い平滑部材とする事ができれば、特に材質を限定するものでは無い。例えば、コルク材などの軽量部材に樹脂やガラスコーティングを施し、これを硬質平滑部材２２ｃとしても良い。なお、硬質平滑部材は、その表面を完全な平滑面とすることが望ましいが、梨地やヘアラインなどを含むシボ加工を施しても良い。
【００２７】
滑り止め効果を奏さない程度の微小な凹凸を硬質平滑部材２２ｃの表面に形成する事で、表面に形成される傷を目立たなくする事ができるからである。また、雪の付着に寄与する大きさの凹凸でなければ、雪の付着を抑えるという効果を得る事ができるといった効果を維持することができる。硬質平滑部材２２ｃの硬さや平滑面に関する一例として、ブーツの靴底よりも硬質な素材とし、ブーツの靴底よりも平面粗さが小さいものとすると良い。
【００２８】
ここで、従来、ストラップ固定型のビンディング１０では、ブーツ当接部材２０には、滑り止めとしての役割を担う必要があると考えられていたが、出願人による種々の実験の結果、ストラップにより足首部分と爪先部分が適切に締め付けられていれば、ブーツ当接部材２０に滑り止めのための凹凸を形成しなくとも、ブーツにズレが生ずる虞が無い事が見出された。
【００２９】
よって、本実施形態に係るフットベッドクッション２２からは、滑り止めのための凹凸が排除されている。また、本実施形態に係るフットベッドクッション２２では、緩衝部材２２ｂに対して硬質平滑部材２２ｃを、爪先部分と中央部分とに分割した状態で、貼り付ける構成としている。このような構成とする事で、硬質平滑部材２２ｃの分割部分でフットベッドクッション２２を曲げる事が可能となる。このため、ベースプレート１２にフットベッドクッション２２を組付けた際、ベースプレート１２からフットベッドクッション２２を完全に取り外す事なく、中央部分のみを折り曲げる事でセンターディスクにアクセスする事が可能となり、整備性を良好に保つ事ができる。
【００３０】
ヒールクッション２４は、上述したフットベッドクッション２２と同様な構造とされ、サブベース２４ａと、緩衝部材２４ｂ、および硬質平滑部材２４ｃにより構成される。ヒールクッション２４のサブベース２４ａも、フットベッドクッション２２と同様に、組付け部位にアジャスタが設けられ、組付け位置の位置決めが可能に構成されている。
【００３１】
ヒールクッション２４は、ブーツ当接部材２０としてフットベッドクッション２２と一体に形成しても良い要素であるが、機能性を考慮して分割構造としているため、サブベース２２ａに緩衝部材２２ｂを貼付し、さらに緩衝部材２２ｂの表面に硬質平滑部材２２ｃを貼付するという構造も同様とすることができる。なお、緩衝部材２４ｂの材質は、緩衝部材２２ｂと同様とし、硬質平滑部材２４ｃの材質は、硬質平滑部材２２ｃと同様とすれば良い。
【００３２】
このような構成のビンディング１０によれば、ブーツ当接部材２０に対する雪の付着を防ぐ事ができ、ベースプレート１２とブーツの靴底との間にスノーケーキが生ずる自体を避ける事ができる。また、ブーツ当接部材２０の表面部材にブーツの靴底よりも硬質な部材を採用し、かつ表面粗さを靴底よりも小さくし、滑り止めのための凹凸を排除した事で、メンテナンス性も向上した。さらに、ブーツに接触する部位に硬質平滑部材２２ｃ，２４ｃを備える事により、ブーツ当接部材２０の耐久性も向上させる事ができる。
【００３３】
［変形例］
上記実施形態では、ブーツ当接部材２０について、機能性を考慮してフットベッドクッション２２とヒールクッション２４の２ピース構造とする旨記載した上で、１ピース構造としても良い旨説明した。１ピース構造とする場合、図３に示すように、機能性を考慮した溝が不要となるため、２ピース構造よりもさらに雪の付着防止効果を高める事ができる。また、構造を簡単化する事ができるため、製造コストを下げる事もできる。
【００３４】
また、上記実施形態では、ブーツ当接部材２０について、サブベース２２ａ，２４ａと緩衝部材２２ｂ，２４ｂ、及び硬質平滑部材２２ｃ，２４ｃにより構成される旨説明した。しかしながら、本発明に係るビンディング１０では、少なくともブーツの靴底との接触面に硬質平滑部材２２ｃ，２４ｃが存在すれば良い。よって、ブーツ当接部材２０を貼付型のシールタイプとしても良い。ブーツ当接部材２０をこのような簡易構造とする事で、現在保有するビンディングに対して容易に適用する事ができるからである。
【００３５】
また、上記実施形態では、スノーボードを介して伝達される脚部への衝撃や振動を軽減するために、ブーツ当接部材２０には緩衝部材２２ｂ，２４ｂが付帯される旨記載した。しかしながら、実施形態に係る効果のみを考慮した場合、ベースプレート１２と硬質平滑部材２２ｃ，２４ｃとの間に緩衝部材２２ｂ，２４ｂを設ける必要は無い。
【産業上の利用可能性】
【００３６】
上記実施形態では、ベースプレート１２をブーツ固定の際の反力受けとすることでブーツを固定するビンディングの一例として、ストラップ固定型のビンディング１０を示した。しかしながら、本発明に係るブーツ当接部材２０、およびビンディング１０は、ブーツの靴底がブーツ当接部材に押し当てられ、ベースプレート１２が反力受けとして働く構造であれば、ステップイン型の固定構造のビンディングにも適用することができる。
【符号の説明】
【００３７】
１０………ビンディング、１２………ベースプレート、１４………ベースプレート本体、１４ａ………ベース、１４ｂ………サイドガイド、１４ｃ………開口部、１４ｄ………アジャスタ、１６………ヒールカップ、１８………ハイバック、２０………ブーツ当接部材、２２………フットベッドクッション、２２ａ………サブベース、２２ｂ………緩衝部材、２２ｃ………硬質平滑部材、２４………ヒールクッション、２４ａ………サブベース、２４ｂ………緩衝部材、２４ｃ………硬質平滑部材。
【図１】
2018175247.tif 000003
【図２】
2018175247.tif 000004
【図３】
2018175247.tif 000005
【図４】
2018175247.tif 000006